(57)【要約】      （修正有）【課題】脱臭フィルタの再生運転時に放出される臭気成分が室内に放出されることを抑制する脱臭装置を提供する。【解決手段】脱臭装置１は、空気の吸込口１２ａと吹出口１５ａとを結ぶ空気流路を有する筐体内部に、吸込口から吸入した空気を吹出口から放出する送風機２０と、空気流路１０に配置された脱臭フィルタ３０ａと、ヒータ３０ｂと、オゾン発生装置２１およびイオン発生装置２２と、送風機やヒータ等を制御する制御手段４０とを備え、制御手段は、脱臭フィルタを加熱して再生する際に、オゾン発生装置およびイオン発生装置を稼働させ、オゾン発生装置およびイオン発生装置で生成されるオゾンにより、脱臭フィルタから放出された臭気成分を分解する。【選択図】図２
2012183086.tif 000002
【特許請求の範囲】
【請求項１】
空気の吸込口と吹出口とを結ぶ空気流路を有する筐体内部に、
前記空気流路に配置され、前記吸込口から吸入した空気を脱臭し、加熱されることにより脱臭能力が再生される脱臭フィルタと、
前記脱臭フィルタを加熱するためのヒータと、同ヒータの通電制御を行う制御手段とを備えた脱臭装置であって、
前記脱臭装置は、前記脱臭フィルタおよび前記ヒータよりも前記空気流路の上方に配置され、前記制御手段によって動作制御されるオゾン発生装置またはイオン発生装置のうち少なくともどちらか一方を備え、
前記制御手段は、前記脱臭フィルタを加熱して脱臭能力を再生する際に、前記オゾン発生装置および／または前記イオン発生装置を稼働させることを特徴とする脱臭装置。
【請求項２】
前記脱臭装置は、前記制御手段によって動作制御され、前記吸込口から吸入した空気を前記吹出口から放出する送風機を備え、
前記制御手段は、前記脱臭フィルタを加熱して再生する際は、前記送風機を所定回転数で駆動し、
前記オゾン発生装置および／または前記イオン発生装置は、前記脱臭フィルタおよび前記ヒータよりも前記空気流路の下流側に配置されたことを特徴とする請求項１に記載の脱臭装置。
【請求項３】
前記オゾン発生装置および／または前記イオン発生装置が配置される前記空気流路は、他の前記空気流路よりも広い空間とされていることを特徴とする請求項１または請求項２に記載の脱臭装置。
【請求項４】
前記制御手段は、前記オゾン発生装置および／または前記イオン発生装置を断続的に運転することを特徴とする請求項１乃至請求項３に記載の脱臭装置。
【発明の詳細な説明】
【技術分野】
【０００１】
本発明は、脱臭装置に関わり、より詳細には、脱臭フィルタの脱臭機能を再生できる脱臭装置に関する。
【背景技術】
【０００２】
従来、室内において使用される脱臭装置は、空気中の塵埃を捕集する集塵フィルタと、空気中の臭気成分を吸着除去する脱臭フィルタと、送風機とを備えている。この脱臭装置では、送風機を駆動することによって室内空気を脱臭装置内部に吸入し、集塵フィルタや脱臭フィルタに室内空気を通して塵埃や臭気成分を室内空気から除去して室内に吹き出すことによって、室内空気を浄化している。
【０００３】
集塵フィルタや脱臭フィルタは、脱臭装置を運転することによって経時的に機能が低下する。集塵フィルタは塵埃を捕集することにより目詰まりが生じて、捕集効率が落ちるとともに通風抵抗が増大する。脱臭フィルタは臭気成分の吸着が飽和状態となると、それ以上臭気成分を吸着しなくなる。
【０００４】
集塵フィルタは、払い落とす、吸い取る等といった機械的な方法により捕集した塵埃を除去すれば、ある程度は集塵機能が回復して再生利用することができる。しかし、脱臭フィルタは、吸着した臭気成分を機械的に除去することが困難なため、臭気成分の吸着が飽和状態となると新しい脱臭フィルタと交換しなければならなかった。
【０００５】
そこで、脱臭フィルタに吸着された臭気成分を除去して脱臭フィルタを再生利用するために、脱臭フィルタの近傍にヒータを配置し、臭気成分の吸着が飽和状態となって脱臭フィルタの脱臭機能が低下してきた際には、ヒータで脱臭フィルタを加熱し、脱臭フィルタに吸着されている臭気成分を脱臭フィルタから分離して放出することのできる脱臭装置が提案されている（例えば、特許文献１参照）。
【０００６】
上述した脱臭装置では、脱臭運転を行った積算時間が所定時間（例えば、２４時間。脱臭フィルタが飽和状態となることを予め試験等で確認した時間）となれば、脱臭運転を停止し、ヒータに通電を開始して脱臭フィルタを所定時間（例えば、１．５時間。脱臭フィルタからの臭気成分の分離が完了することを予め試験等で確認した時間）加熱するフィルタ再生運転を行う。これにより、脱臭フィルタを交換することなく脱臭運転を長時間行うことができる。
【先行技術文献】
【特許文献】
【０００７】
【特許文献１】特開平１０−１５３３２号公報（第２〜３頁、第２図）
【発明の概要】
【発明が解決しようとする課題】
【０００８】
しかしながら、上述した脱臭フィルタの再生が行える脱臭装置では、脱臭フィルタをヒータで加熱することで、脱臭フィルタに吸着されている臭気成分を脱臭フィルタから分離して放出するため、フィルタ再生運転を行っている際は、放出された臭気成分が脱臭装置内部から室内に放出される虞があり、万が一臭気成分が室内に放出された場合には、室内に放出された臭気成分によって使用者に不快感を与えるという問題があった。
【０００９】
本発明は以上述べた問題点を解決するものであって、脱臭フィルタの再生運転時に放出される臭気成分が室内に放出されることを抑制する脱臭装置を提供することを目的とする。
【課題を解決するための手段】
【００１０】
上記した課題を解決するために、本発明の脱臭装置は、空気の吸込口と吹出口とを結ぶ空気流路を有する筐体内部に、空気流路に配置され、吸込口から吸入した空気を脱臭し、加熱されることにより脱臭能力が再生される脱臭フィルタと、脱臭フィルタを加熱するためのヒータと、ヒータの通電制御を行う制御手段とを備えている。この脱臭装置は、脱臭フィルタおよびヒータよりも空気流路の上方に配置され、制御手段によって動作制御されるオゾン発生装置またはイオン発生装置のうち少なくともどちらか一方を備え、制御手段は、脱臭フィルタを加熱して脱臭能力を再生する際に、オゾン発生装置および／またはイオン発生装置を稼働する。
【発明の効果】
【００１１】
上記のように構成した本発明の脱臭装置によれば、脱臭フィルタをヒータで加熱して脱臭フィルタを再生する際に放出される臭気成分を、オゾン発生装置またはイオン発生装置で生成されるオゾンにより分解する。従って、脱臭フィルタの再生運転を行っている際に脱臭装置の筐体内部から室内に放出される臭気成分を低減することができる。
【図面の簡単な説明】
【００１２】
【図１】本発明による脱臭装置の外観斜視図である。
【図２】図１におけるＸ−Ｘで切断した要部断面図である。
【図３】図１におけるＹ−Ｙで切断した要部断面図である。
【図４】本発明による脱臭装置の電気的な構成を示すブロック図である。
【図５】図３におけるＣ部拡大図であり、本発明による脱臭装置に備えられた臭気検出装置の詳細説明図である。
【図６】本発明による脱臭装置における、フィルタ再生運転時の制御を説明するフローチャートである。
【発明を実施するための形態】
【００１３】
以下、本発明の実施の形態を、添付図面に基づいて詳細に説明する。実施例としては、空気中の塵埃除去、脱臭および空気の加湿が行える脱臭装置を例に挙げて説明する。尚、本発明は以下の実施形態に限定されることはなく、本発明の主旨を逸脱しない範囲で種々変形することが可能である。
【実施例】
【００１４】
図１乃至図３に示すように、本実施例における脱臭装置１は、その筐体が縦長の略直方体形状とされている。脱臭装置１は、前面側に前面パネル１１が形成され、前面パネル１１と対向する背面側に背面パネル１２が形成されている。また、前面パネル１１の右側には右側面パネル１３が、前面パネル１１の左側には左側面パネル１４が、それぞれ形成されている。更には、脱臭装置１の上面には、上面パネル１５が形成されている。
【００１５】
図２に示すように、背面パネル１２には、多数の開口部からなり、脱臭装置１内部に室内空気（脱臭装置１外部の空気）を吸入するための吸込口１２ａが形成されている。また、図１および図３に示すように、右側面パネル１３には、後述する臭気検出装置５０が設けられている。
【００１６】
図１乃至図３に示すように、上面パネル１５には、前面パネル１１側に操作部２４が備えられ、操作部２４に隣接して矩形状のルーバ１６が備えられている。操作部２４には、使用者が脱臭装置１を運転操作するための各種ボタンや表示部等が配置されている。ルーバ１６は、手動により開閉可能とされており、図２に示すように、ルーバ１６を開くことによって、脱臭装置１内部から空気を放出するための吹出口１５ａが開口される。
【００１７】
図２および図３に示すように、脱臭装置１の内部には、吸込口１２ａと吹出口１５ａとを結ぶ空気流路１０が設けられており、この空気流路１０の一部を構成し樹脂材からなる空気流路形成部１７が設けられている。空気流路１０には、空気流路１０の上流側（吸込口１２ａ側）から下流側（吹出口１５ａ側）に向かって集塵フィルタ３１、脱臭ユニット３０、気化フィルタ３２、送風機２０、オゾン発生装置２１、イオン発生装置２２、の順番でそれぞれが配置されている。また、脱臭装置１の背面パネル１２側で集塵フィルタ３１の上方には、メイン基板２３が配置されている。
【００１８】
集塵フィルタ３１は、不織布等をプリーツ形状に形成したものであり、脱臭装置１内部に吸入される室内空気に含まれる、塵埃やペットの毛、花粉等を捕集する。
【００１９】
脱臭ユニット３０は、脱臭フィルタ３０ａと、ヒータ３０ｂと、温度センサ３０ｃとで構成される。脱臭フィルタ３０ａは、例えば、油の臭い、タバコやペットの臭い等の高濃度の臭気成分を吸着して分解する触媒フィルタである。ヒータ３０ｂは、脱臭フィルタ３０ａの面に沿うように配置したシースヒータであり、ヒータ３０ｂで脱臭フィルタ３０ａを加熱することによって、脱臭フィルタ３０ａが吸着した臭気成分の脱臭フィルタ３０ａに含まれる触媒による分解を促進し脱臭性能を再生する。温度センサ３０ｃは、測温抵抗体やサーミスタ等であり、ヒータ３０ｂの配置場所近傍の温度を検出する。
【００２０】
気化フィルタ３２は、通気性と吸水性とを備える材料をプリーツ形状に形成したものであり、図示しない給水タンク等に蓄えられた水を吸収して常時湿った状態となっている。湿った状態の気化フィルタ３２に、脱臭装置１内部に吸入した空気を通過させることで、通過した空気を加湿する。
【００２１】
送風機２０は、ファンモータ２０ａと、送風ファン２０ｂとで構成される。送風ファン２０ｂは、ファンモータ２０ａの図示しない回転軸に固定されている。ファンモータ２０ａを駆動して送風ファン２０ｂを回転させることで、図２に示す白抜き矢印のように、吸込口１２ａから脱臭装置１内部に室内空気を吸込み、吸込まれた空気は、集塵フィルタ３１、脱臭ユニット３０、気化フィルタ３２の順に通過し、空気流路１０内を経て吹出口１５ａから室内に放出される。
【００２２】
オゾン発生装置２１は、ケース２１ａと、ＵＶランプ２１ｂと、オゾン分解触媒２１ｃとで構成される。図３に示すように、ケース２１ａは脱臭装置１の左右方向に長い略直方体形状に形成されている。ケース２１ａには、空気流路１０に臨む位置に、ケース２１ａ内に空気を流入させる流入口２１ｄを備え、また、吹出口１５ａに連通する位置に、ケース２１ａ内から空気を流出させる流出口２１ｅを備えている。ケース２１ａ内部には、流入口２１ｄから流出口２１ｅに向かってＵＶランプ２１ｂ、オゾン分解触媒２１ｃ、の順番で配置されている。
【００２３】
ＵＶランプ２１ｂは直管型のランプであり、ケース２１ａの左右方向に沿って、かつ、流入口２１ｄから流出口２１ｅに向かってケース２１ａ内を空気が流れる方向に対して直交するように配置されている。ＵＶランプ２１ａを点灯すると、ＵＶランプ２１ａから紫外線が照射され、紫外線がケース２１ａ内部を通過する空気に照射されることでオゾンが生成される。この発生したオゾンによって、ケース２１ａ内部を通過する空気の除菌や脱臭が行われる。
【００２４】
オゾン分解触媒２１ｃは、酸化チタン等のオゾンを分解する作用を有する金属触媒よりなり、オゾン発生装置２１のケース２１ａ内部を通過する空気にＵＶランプ２１ａから紫外線が照射されることにより発生したオゾンが、ケース２１ａ内部を通過する空気によって流出口２１ｅへと運ばれて空気とともにケース２１ａ外へ流出する際に、オゾン濃度を低濃度（例えば、０．０２ｐｐｍ以下）とする。
【００２５】
イオン発生装置２２は、空気流路１０内のオゾン発生装置２１の流入口２１ｄより下流側で、吹出口１５ａ付近に配置されている。イオン発生装置２２は、図示しない放電電極と接地電極とを備えており、放電電極と接地電極との間に高電圧を印加することにより、放電電極と接地電極との間にコロナ放電が発生してマイナスイオンや低濃度（例えば、０．０２ｐｐｍ以下）のオゾンが生成される。
尚、空気流路１０内のオゾン発生装置２１やイオン発生装置２２が配置されている箇所は、その他の空気流路１０の箇所（例えば、送風機２０が設置されている箇所）に比べて、脱臭装置１の左右方向の幅寸法は同じであるが、図２に示すように、奥行き方向の寸法が長くされており、広い空間とされている。
【００２６】
図１または図３に示すように、臭気検出装置５０は、脱臭装置１内部の右側面パネル１３に備えられており、前後方向については略中央部に、上下方向については中央よりやや上方であって脱臭フィルタ３０ａやヒータ３０ｂより上方に配置されている。
【００２７】
図５に示すように、臭気検出装置５０は、室内あるいは脱臭装置１内部の臭気成分を検出する臭気センサ５１と、回転軸５７ａを有するステッピングモータ５７と、回転軸５７ａに一端が固定された板状部材である切換板５６と、右側面パネル１３に接する面が開口された略直方体形状であり、上述した構成部品を格納する臭気検出装置筐体５２とを備えている。
【００２８】
臭気センサ５１は、臭気検出装置筐体５２の背面側（脱臭装置１の背面パネル１２側）の内面に配置されている。臭気センサ５１は接触燃焼式であり、臭気センサ５１に備えられた図示しないヒータに電流を流して温度を上昇させ、このヒータに臭気成分（可燃ガスであることが多い）が触れると燃焼して高温になることによりヒータの温度が上がって電気抵抗が変化する。この時のヒータの電圧を検出することで臭気成分量（臭気センサ５１での検出値）を検出する。
【００２９】
右側面パネル１３の一部には、脱臭装置１外部に向けて開口された室内側検出孔５３が設けられ、臭気検出装置筐体５２はこの室内側検出孔５３を覆うように配置されている。また、臭気検出装置筐体５２の室内側検出孔５３と対向する面には、装置内側検出孔５４が設けられている。さらには、臭気検出装置筐体５２の上面には、室内側検出孔５３あるいは装置内側検出孔５４から臭気検出装置筐体５２内部に流入した空気を臭気検出装置筐体５２外へ流出させる空気流出孔５５が設けられている。
【００３０】
切換板５６は、脱臭装置１の前後方向（奥行方向）に対し臭気センサ５１より前側に配置され、ステッピングモータ５７を駆動することによって左右に回動するようになっている。切換板５６が右に回動した場合は、切換板５５の先端部が室内側検出孔５３上方の右側面パネル１３内面に接触し、切換板５６が左に回動した場合は、切換板５６の先端部が装置内側検出孔５４上方の臭気検出装置筐体５２内面に接触する。
【００３１】
室内の臭気成分量を臭気センサ５１で検出する時は、図５（Ａ）に示すように、ステッピングモータ５７を駆動して切換板５６を左に回動し、室内側検出孔５３と空気流出孔５５とを連通させて図５（Ａ）に示す矢印のように臭気検出装置筐体５２内部に室内空気を流通させる。また、脱臭装置１内部の臭気成分量を臭気センサ５１で検出する時は、図５（Ｂ）に示すように、ステッピングモータ５７を駆動して切換板５６を右に回動し、装置内側検出孔５４と空気流出孔５５とを連通させて図５（Ｂ）に示す矢印のように臭気検出装置筐体５２内部に装置内空気を流通させる。
尚、上述した切換板５６と、ステッピングモータ５７とで検出部切換手段が構成される。
【００３２】
次に、図４を用いて脱臭装置１の電気的な構成を説明する。尚、本実施例における脱臭装置１には気化フィルタ３２による加湿機能が備えられているが、加湿機能に関わる電気的な構成は、本発明に直接関係しないため、その説明を省略する。
【００３３】
図４に示すように、脱臭装置１には、上述したファンモータ２０ａ、ＵＶランプ２１ｂ、イオン発生装置２２、操作部２４、ヒータ３０ｂ、温度センサ３０ｃ、臭気センサ５１およびステッピングモータ５７の他に、脱臭装置１を操作するための図示しないリモコンから送信された信号を受信するリモコン受信部４２と、スイッチ部４３と、インバータ部４４と、ファンモータ駆動部４５と、ヒータ通電部４６と、ステッピングモータ駆動部４７と、これらを制御する制御手段４０とを備えている。
【００３４】
電源部４１は、電源コード４８を介してコンセントに接続され、コンセントを介して供給される交流電圧から脱臭装置１の運転に必要な直流電圧を生成して、イオン発生装置２２、制御手段４０、スイッチ部４３、ファンモータ駆動部４５、ヒータ通電部４６、およびステッピングモータ駆動部４７に供給する。尚、図４では、電源部４１から制御手段４０およびスイッチ部４３への電力供給を矢印で示しているが、これ以外の電力供給の矢印による図示は省略している。
【００３５】
スイッチ部４３は、電源部４１から供給された直流電圧を制御手段４０からの信号に基づいて入り切りし、インバータ４４はスイッチ部４３から受けた直流電圧を、ＵＶランプ２１ｂを点灯できる高周波電圧に変換してＵＶランプ２１ｂに供給する。イオン発生装置２２は、内部に図示しない電源回路を有しており、電源部４１から供給された直流電圧を、放電電極と接地電極との間に加えて両極間でコロナ放電が発生する電圧に昇圧する。ファンモータ駆動部４５、ヒータ通電部４６、およびステッピングモータ駆動部４７の夫々は、電源部４１から供給された直流電圧を受けて、ファンモータ２０ａ、ヒータ３０ｂおよびステッピングモータ５７を駆動する。
【００３６】
制御手段４０は、図示しない記憶部や計時手段、通信インターフェイス等を備えており、脱臭装置１の上面パネル１５に配置されたリモコン受信部４２や操作部２４から使用者による運転指示信号を受信するとともに、温度センサ３０ｃや臭気センサ５１から夫々の検出信号を取り込む。また、制御手段４０は、上述した運転指示信号や検出信号に基づいて、スイッチ部４３にオンオフ信号を送信することでＵＶランプ２１ｂへの通電を制御するとともに、ファンモータ駆動部４５、ヒータ通電部４６、およびステッピングモータ駆動部４７へ夫々に対応する制御信号を送信してファンモータ２０ａ、ヒータ３０ｂおよびステッピングモータ５７の駆動制御を行う。また、制御手段４０は、イオン発生装置２２の駆動制御を行う。
【００３７】
次に、脱臭装置１で脱臭運転を行う際の、各部の働きや脱臭装置１内部での空気の流れについて説明する。尚、脱臭運転を行う際は、図２および図３に示すように、ルーバ１６は開いた状態になっているものとする。
【００３８】
使用者が図示しないリモコンの操作や操作部２４を操作することによって、リモコン受信部４２や操作部２４から脱臭装置１の脱臭運転開始を指示する運転指示信号がリモコンや操作部２４から制御手段４０に送信される。運転指示信号を受信した制御手段４０は、ファンモータ駆動部４５に、ファンモータ２０ａの回転数情報を含んだ駆動制御信号を送信する。ファンモータ駆動部４５は、受信した駆動制御信号に基づいてファンモータ２０ａを起動する。これにより送風ファン２０ｂが回転して送風機２０が運転を開始する。
【００３９】
次に、制御手段４０は、室内空気の臭気成分を検出するために、ステッピングモータ駆動部４７に駆動制御信号を送信する。ステッピングモータ駆動部４７は、受信した駆動制御信号に基づいて、図５（Ａ）に示すように、室内側検出孔５３と空気流出孔５５とが連通するようにステッピングモータ５７を駆動して切換板５６を装置内側検出孔５４側に回動する。これにより、臭気センサ５１は室内空気に含まれる臭気成分を検出できるようになる。
【００４０】
次に、制御手段４０は、スイッチ部４３にオン信号を送信する。オン信号を受信してオンされたスイッチ部４３は、インバータ部４４を介してＵＶランプ２１ｂへの通電を開始しＵＶランプ２１ｂを点灯させる。また、制御手段４０は、イオン発生装置２２に駆動信号を送信してイオン発生装置２２を駆動する。
【００４１】
以上説明した状態で、送風機２０が運転することによって吸込口１２ａから脱臭装置１内部に室内空気が吸入される。吸込口１２ａから吸い込まれた空気は、集塵フィルタ３１を通過する際に除塵され、脱臭フィルタ３０ａを通過する際に脱臭される。次に、集塵フィルタ３１および脱臭フィルタ３０ａを通過した空気は、気化フィルタ３２を通過し、その際に加湿される。
【００４２】
気化フィルタ３２を通過した空気は空気流路１０内を上方（空気流路１０の下流側）へ流れ、その大部分は吹出口１５ａから室内へ放出される。その際、イオン発生装置２２で生成されたマイナスイオンは、吹出口１５ａから室内へ放出される空気に乗って室内に放出される。室内に放出されたマイナスイオンは、室内に浮遊するカビやウイルス等の微生物に付着してこれらを不活性化する。また、イオン発生装置２２で生成された低濃度のオゾンは、イオン発生装置２２近傍を流れて吹出口１５ａから室内へ放出される空気に含まれる脱臭フィルタ３０ａで分解しきれなかった臭気成分を酸化反応により分解する。
【００４３】
一方、気化フィルタ３２を通過した空気の一部は、流入口２１ｄを通ってオゾン発生装置２１内部に取り込まれる。取り込まれた空気には、ＵＶランプ２１ｂによって紫外線が照射され、これによりオゾンが生成される。生成されたオゾンは、取り込まれた空気中に浮遊するカビやウイルス等の微生物を除菌するとともに、脱臭フィルタ３０ａで分解しきれなかった臭気成分を酸化反応により分解する。
【００４４】
除菌および脱臭されたオゾン発生装置２１内部の空気は、流出口２１ｅを通って吹出口１５ａから室内に放出される。オゾン発生装置２１内部から放出された空気には、オゾン分解触媒２１ｃの働きによって低濃度となったオゾンが含まれており、この低濃度のオゾンが室内のカーペットやカーテン等に付着した臭気成分を分解する。
尚、上述した説明において、吸込口１２ａから吸入され、空気流路１０を通って吹出口１５ａから放出される空気の流れは、図２において白抜き矢印で示している。
【００４５】
以上説明した脱臭装置１の脱臭運転では、制御手段４０は、臭気センサ５１で検出した室内空気の臭気成分に対応する検出値を定期的に取り込み、取り込んだ検出値に応じて送風機２０のファンモータ２０ｂの回転数を制御するとともに、オゾン発生手段２１やイオン発生手段２２の運転停止あるいは開始の制御を行っている。
【００４６】
次に、図１乃至図５を使用して、本実施例の脱臭装置１における、脱臭フィルタ３０ａをヒータ３０ｂで加熱して脱臭フィルタ３０ａが吸着した臭気成分の触媒による分解を促進し脱臭性能を再生するフィルタ再生運転について説明する。
【００４７】
上述したように、制御手段４０は計時手段を備えており、脱臭装置１で脱臭運転を行っている時間を積算して記憶部に記憶している。制御手段４０は、脱臭運転中にこの積算時間が所定時間、例えば、２４時間となれば、脱臭運転を停止してフィルタ再生運転を行う。この積算時間は、予め試験等によって求められた、脱臭フィルタ３０ａの脱臭能力が飽和状態となるまでの時間であり、制御手段４０の記憶部に記憶されている。
【００４８】
制御手段４０は、脱臭装置１内部の臭気成分を検出するために、ステッピングモータ駆動部４７に駆動制御信号を送信して、ステッピングモータ駆動部４７が、図５（Ｂ）に示すように、装置内側検出孔５４と空気流出孔５５とが連通するようにステッピングモータ５７を駆動して切換板５６を室内側検出孔５３側に回動する。これにより、臭気センサ５１は脱臭装置１内部の空気に含まれる臭気成分を検出できるようになる。
【００４９】
次に、制御手段４０は、オゾン発生装置２１とイオン発生装置２２とが稼働中であるか否かを判断し、停止中であれば、オゾン発生装置２１とイオン発生装置２２とを稼働する。これにより、オゾン発生装置２１で生成されたオゾンがオゾン発生装置２１内部の空気、および、流入口２１ｄを通って空気流路１０に拡散しオゾン発生装置２１下方に滞留する空気に浮遊する。また、イオン発生装置２２で生成されたオゾンも同様に空気流路１０のイオン発生装置２２下方およびオゾン発生装置２１下方に滞留する空気に浮遊する。
【００５０】
次に、制御手段４０は、ヒータ通電部４６に通電信号を送信する。通電信号を受けたヒータ通電部４６は、ヒータ３０ｂへの通電を開始する。制御手段４０は、ヒータ３０ｂに備えられた温度センサ３０ｃで検出したヒータ３０ｂの温度を定期的に取り込み、ヒータ３０ｂの温度が所定温度、例えば２００℃となるように、ヒータ通電部４６を介してヒータ３０ｂを制御する。
【００５１】
フィルタ再生運転を行っている際は、加熱されている脱臭フィルタ３０ａで分解し切れない臭気成分が、脱臭装置１内部の空気に放出される。脱臭フィルタ３０ａは空気流路１０の上流側（吸込口１２ａ側）に配置されているため、脱臭フィルタ３０ａから放出された臭気成分が、吸込口１２ａを通って室内に漏れ出す虞がある。これを防ぐため、制御手段４０は、フィルタ再生運転中は送風機２０を所定の低回転数、例えば、ファンモータ２０ａを３３０ｒｐｍで回転させるようファンモータ駆動部４５を介して制御する。
【００５２】
送風機２０を回転させることにより、吸込口１２ａから脱臭装置１内部に室内空気が吸入されるため、ヒータ３０ｂが冷却されて、ヒータ３０ｂの温度が所定温度より低下して、脱臭フィルタ３０ａが吸着した臭気成分の分解に時間がかかったり、分解が不十分となる虞がある。このため、制御手段４０は、温度センサ３０ｃから取り込んだヒータ３０ｂの温度が所定温度以下、例えば、１９０℃以下となれば、送風機２０の運転を停止し、ヒータ３０ｂの温度が２００℃に回復すれば、再び送風機２０を起動する制御を行う。
【００５３】
脱臭フィルタ３０ａから放出された臭気成分は、送風機２０の回転によって、空気流路１０の上方、つまり、オゾン発生装置２１側やイオン発生装置２２側に運ばれる。この場所には、上述したようにオゾン発生装置２１やイオン発生装置２２で生成されたオゾンが浮遊しており、このオゾンによって臭気成分が分解される。上述したように、空気流路１０内のオゾン発生装置２１やイオン発生装置２２の下方は、その他の空気流路１０の箇所に比べて広い空間とされているため、臭気成分が滞留する時間が長くなり、より効率的にオゾンによる脱臭成分の分解が行える。
【００５４】
空気流路１０のオゾン発生装置２１やイオン発生装置２２の下方で分解されなかった臭気成分は、流入口２１ｄを通ってオゾン発生装置２１内部に流入し、また、イオン発生装置２２の近傍に移動する。オゾン発生装置２１内部に流入した臭気成分は、オゾン発生装置２１内部に滞留するオゾンによって分解される。イオン発生装置２２の近傍に移動した臭気成分は、イオン発生装置２２で生成されたマイナスイオンを吸着して空気流路１０のオゾン発生装置２１やイオン発生装置２２の下方に落下し、そこに浮遊するオゾンによって分解される。
【００５５】
制御手段４０は、フィルタ再生運転を行っている間は、臭気センサ５１での検出値を定期的に取り込んでいる。脱臭フィルタ３０ａの再生が進むと、脱臭フィルタ３０ａから放出される臭気成分が少なくなる。制御手段４０は、取り込んだ検出値が所定値以上、例えば、１．５Ｖ以上であれば、フィルタ再生が完了していないと判断しフィルタ再生運転を継続する。取り込んだ検出値が１．５Ｖより小さければ、制御手段４０は、フィルタ再生が完了したと判断し、フィルタ再生運転を停止、つまり、ヒータ３０ｂへの通電をヒータ通電部４６を介して停止する。そして、制御手段４０は、ステッピングモータ駆動部４７に駆動制御信号を送信し、図５（Ａ）に示すように、室内側検出孔５３と空気流出孔５５とが連通するようにステッピングモータ５７を駆動して切換板５６を左に回動し、臭気センサ５１で室内の臭気成分が検出できるようにする。その後、制御手段４０は、脱臭運転を開始あるいは再開する。
【００５６】
以上説明したように、本実施例における脱臭装置１のフィルタ再生運転では、脱臭フィルタ３０ａの再生時に脱臭フィルタ３０ａから放出される臭気成分を、オゾン発生装置２１およびイオン発生装置２２の働きによって分解するので、フィルタ再生運転時に臭気成分が脱臭装置１内部から漏れ出す量を低減することができる。
【００５７】
また、臭気センサ５１での検出値が所定値より小さくなれば、フィルタ再生運転を停止して脱臭運転を再開するので、過不足のないフィルタ再生運転が行え、フィルタ再生運転時の消費電力を低減することができる。
【００５８】
尚、以上説明した実施例では、フィルタ再生運転を行っている際に、吸込口１２ａから室内への臭気成分放出を防ぐために、低回転数で送風機２０を運転しているが、脱臭装置１内部の構造や脱臭フィルタ３０ａの配置によって吸込口１２ａから室内への臭気成分放出の心配がない場合は、フィルタ再生運転中は送風機を２０を停止してもよい。
【００５９】
次に、図６に示すフローチャートを用いて、本実施例の脱臭装置１の制御手段４０における、フィルタ再生運転時の処理の流れについて説明する。尚、図６のフローチャートでは、ＳＴはステップを表しこれに続く数字はステップの番号を表している。尚、図６では本発明に関わる処理を中心に説明しており、通常の脱臭運転時における、使用者の指示や各センサでの検出値に基づいた運転制御等のその他の処理の説明は省略している。
【００６０】
制御手段４０は、リモコン受信部４２や操作部２４から脱臭装置１の運転開始指示を受信すると、記憶部に記憶している脱臭運転の積算時間が所定時間以上であるか否かを判断する（ＳＴ１）。積算時間が所定時間以上でなければ（ＳＴ１−Ｎｏ）、制御手段４０は、脱臭運転を再開し（ＳＴ１２）、ＳＴ１に処理を戻す。
【００６１】
積算時間が所定時間以上であれば（ＳＴ１−Ｙｅｓ）、制御手段４０は、ステッピングモータ駆動部４７を介してステッピングモータ５７を駆動して、装置内側検出孔５４と空気流出孔５５とが連通するように切換板５６を室内側検出孔５３側に回動する。（ＳＴ２）。
【００６２】
次に、制御手段４０は、オゾン発生装置２１およびイオン発生装置２２が稼働中であるか否かを判断する（ＳＴ３）。オゾン発生装置２１およびイオン発生装置２２が稼働中であれば（ＳＴ３−Ｙｅｓ）、制御手段４０はＳＴ４に処理を進める。オゾン発生装置２１およびイオン発生装置２２が停止していれば（ＳＴ３−Ｎｏ）、制御手段４０は、オゾン発生装置２１およびイオン発生装置２２を稼働させ（ＳＴ１３）、ＳＴ４に処理を進める。
【００６３】
次に、制御手段４０は、ヒータ通電部４６を介してヒータ３０ｂに通電を開始してフィルタ再生運転を開始する（ＳＴ４）。
【００６４】
次に、制御手段４０は、温度センサ３０ｃで検出したヒータ３０ｂの温度を取り込む（ＳＴ５）。そして、制御手段４０は、取り込んだヒータ３０ｂの温度が所定値以上であるか否かを判断する（ＳＴ６）。
【００６５】
取り込んだヒータ３０ｂの温度が所定値以上でなければ（ＳＴ６―Ｎｏ）、制御手段４０は、ファンモータ駆動部４５を介してファンモータ２０ａを停止し、送風ファン２０ａを停止する（ＳＴ１４）。尚、ＳＴ６の処理時において、ファンモータ２０ａが停止している場合は、制御手段４０はファンモータ２０ａの停止状態を継続する。取り込んだヒータ３０ｂの温度が所定値以上であれば（ＳＴ６−Ｙｅｓ）、制御手段４０は、ファンモータ駆動部４５を介してファンモータ２０ａを駆動し、送風ファン２０ａを所定の低回転数で回転する（ＳＴ７）。尚、ＳＴ６の処理時において、ファンモータ２０ａが駆動している場合は、制御手段４０はファンモータ２０ａの回転数を所定の低回転数とする。
【００６６】
次に、制御手段４０は、臭気センサ５１での検出値を取り込む（ＳＴ８）。そして、制御手段４０は、取り込んだ検出値が所定値以上であるか否かを判断する（ＳＴ９）。
【００６７】
取り込んだ検出値が所定値以上であれば（ＳＴ９−Ｙｅｓ）、制御手段４０は、ＳＴ５に処理を戻す。取り込んだ検出値が所定値以上でなければ（ＳＴ９−Ｎｏ）、制御手段４０は、ヒータ通電部４６を介してヒータ３０ｂへの通電を停止してフィルタ再生運転を停止する（ＳＴ１０）。
【００６８】
次に、制御手段４０は、ステッピングモータ駆動部４７を介してステッピングモータ５７を駆動して室内側検出孔５３と空気流出孔５５とが連通するように切換板５６を装置内側検出孔５４側に回動する。（ＳＴ１１）。そして、制御手段４０は、ＳＴ１に処理を戻す。
【００６９】
以上説明したように、本発明の脱臭装置によれば、脱臭フィルタをヒータで加熱して脱臭フィルタを再生する際に放出される臭気成分を、オゾン発生装置またはイオン発生装置で生成されるオゾンにより分解する。従って、脱臭フィルタの再生運転を行っている際に脱臭装置の筐体内部から室内に放出される臭気成分を低減することができる。
【００７０】
尚、本実施例におけるフィルタ再生運転では、オゾン発生装置２１およびイオン発生装置２２を連続して運転させる場合について説明したが、フィルタ再生運転時の臭気センサ５１での検出値が低い場合は、オゾン発生装置２１およびイオン発生装置２２を断続的に運転させるようにしてもよい。これにより、オゾン発生装置２１およびイオン発生装置２２での消費電力を低減することができる。
【符号の説明】
【００７１】
１  脱臭装置
１０  空気流路
１１  前面パネル
１２  背面パネル
１２ａ  吸込口
１３  右側面パネル
１４  左側面パネル
１５  上面パネル
１５ａ  吹出口
１６  ルーバ
１７  空気流路形成部
２０  送風部
２０ａ  ファンモータ
２０ｂ  送風ファン
２１  オゾン発生装置
２１ａ  ケース
２１ｂ  ＵＶランプ
２１ｃ  オゾン分解触媒
２１ｄ  流入口
２１ｅ  流出口
２２  イオン発生装置
２３  メイン基板
２４  操作部
３０  脱臭ユニット
３０ａ  脱臭フィルタ
３０ｂ  ヒータ
３０ｃ  温度センサ
３１  集塵フィルタ
３２  気化フィルタ
４０  制御手段
４１  電源部
４２  リモコン受信部
４３  スイッチ部
４４  インバータ部
４５  ファンモータ駆動部
４６  ヒータ通電部
４７  ステッピングモータ駆動部
４８  電源コード
５０  臭気検出装置
５１  臭気センサ
５２  臭気検出装置筐体
５３  室内側検出孔
５４  装置内側検出孔
５５  空気流出孔
５６  切換板
５７  ステッピングモータ
５７ａ  回転軸
【図１】
2012183086.tif 000003
【図２】
2012183086.tif 000004
【図３】
2012183086.tif 000005
【図４】
2012183086.tif 000006
【図５】
2012183086.tif 000007
【図６】
2012183086.tif 000008